(57)【要約】      （修正有）【課題】衣類に表示具を装着する時に表示具表面の情報を視認させやすい表示具を提供する。【解決手段】表示具１０は、装着者の情報が記載された表面を有するプレートと、プレートの裏面１ｂに接続され、装着者の服に対して固定・取り外し自在が可能な固定具２と、プレートの裏面に接続され、プレートの下面を装着者側とは反対側に固定具を中心にプレートを回転させることによって、プレートの表面が、装着者の服と並行になるようにするスペーサ３とを有する。【選択図】図２
0003213448.tif 000002
【実用新案登録請求の範囲】
【請求項１】
装着者の情報が記載された表面を有するプレートと、
前記プレートの裏面に接続され、装着者の服に対して固定・取り外し自在が可能な固定具と、
前記プレートの裏面に接続され、前記プレートの下面を装着者側とは反対側に固定具を中心に前記プレートを回転させることによって、前記プレートの前記表面が、装着者の服と並行になるようにするスペーサと、
を有する表示具。
【請求項２】
前記プレートは、
長方形の板形状であり、
長方形の長手方向が装着者の左右の方向になるように形成される
請求項１に記載の表示具。
【請求項３】
前記固定具は、前記スペーサに対して装着者の上下方向に該当する位置に配置されている
請求項１又は請求項２に記載の表示具。
【請求項４】
前記固定具は、安全ピン形状であり、
前記スペーサは、直方体形状である
請求項１〜３いずれか１項に記載の表示具。
【請求項５】
前記安全ピンを前記プレートに対して垂直になるように位置させた場合に、
前記安全ピンの装着者側とは反対側のピンの装着者側の面は、
前記スペーサの装着者側の面と
同一の平面を形成する
請求項４に記載の表示具。
【請求項６】
前記固定具は、クリップ形状であり、
前記スペーサは、半球体形状である
請求項１〜３いずれか１項に記載の表示具。
【考案の詳細な説明】
【技術分野】
【０００１】
本考案は、名札など装着者の衣類に付ける表示具の構造に関する。
【背景技術】
【０００２】
特許文献１には、ピン杆を有する基片と本体である基片の両先端を接続した構成を有する掛止具が開示されている。また、特許文献２には、衣類の生地を傷めることのない留め具及びこの留め具を使用した表示具が開示されている。
【０００３】
【先行技術文献】
【特許文献】
【０００４】
【特許文献１】実公昭４４−３９２６号公報
【特許文献２】特開平９−２３９０５号公報
【考案の概要】
【考案が解決しようとする課題】
【０００５】
しかしながら、特許文献１および特許文献２に記載の構造では、衣類に装着した場合、衣類の装着部位や衣類の生地によっては、情報が記載された表面が下側に向いてしまい、表面の情報が見えづらくなる傾向があった。特に胸ポケットがある場合には、胸ポケットに物が入るように余裕をもって生地が形成されているため、表示具の重さによって、表面がより下側に向き、表面の情報が見えづらい傾向があった。
本考案の目的は、上記の問題を解決し、表示具装着時に表示具表面の情報を視認させやすい表示具を提供することにある。
【課題を解決するための手段】
【０００６】
本考案の表示具は、装着者の情報が記載された表面を有するプレートと、プレートの裏面に接続され、装着者の服に対して固定・取り外し自在が可能な固定具と、プレートの裏面に接続され、プレートの下面を装着者側とは反対側に固定具を中心にプレートを回転させることによって、プレートの表面が、装着者の服と並行になるようにするスペーサとを有する。
【０００７】
好適には、プレートは、長方形の板形状であり、長方形の長手方向が装着者の左右の方向になるように形成される。
【０００８】
好適には、固定具は、スペーサに対して装着者の上下方向に該当する位置に配置されている。
【０００９】
好適には、固定具は、安全ピン形状であり、スペーサは、直方体形状である。
【００１０】
好適には、安全ピンをプレートに対して垂直になるように位置させた場合に、安全ピンの装着者側とは反対側のピンの装着者側の面は、スペーサの装着者側の面と同一の平面を形成する。
【００１１】
好適には、固定具は、クリップ形状であり、スペーサは、半球体形状である。
【考案の効果】
【００１２】
本考案によれば、装着時に表示具表面の情報を容易に視認可能な表示具を提供することができる。
【図面の簡単な説明】
【００１３】
【図１】本考案の第１実施形態に係る表示具の表面斜視図である。
【図２】本考案の第１実施形態に係る表示具の裏面斜視図である。
【図３】本考案の第１実施形態に係る表示具のIV-IV断面図である。
【図４】本考案の第２実施形態に係る表示具の裏面斜視図である。
【図５】本考案の第２実施形態に係る表示具のIV-IV断面図である。
【図６】本考案の第３実施形態に係る表示具の裏面斜視図である。
【図７】本考案の第４実施形態に係る表示具の裏面斜視図である。
【考案を実施するための形態】
【００１４】
以下、本考案の第１実施形態を図１〜３に基づいて説明する。
図１は、本考案の第１実施形態に係る表示具１０の表面斜視図である。図２は、本考案の第１実施形態に係る表示具の裏面斜視図である。
表示具１０は、プレート１と固定具としての安全ピン形状の安全ピン２とスペーサ３とから構成される。
【００１５】
プレート１は、装着者の情報が記載された表面１ａと、裏面１ｂを有する。固定具としての安全ピン２は、プレート１の裏面１ｂに接続され、装着者の服に対して固定・取り外し自在が可能な構成となっている。スペーサ３は、プレート１の裏面１ｂに接続され、プレート１の下面を装着者側とは反対側に安全ピン２を中心にプレート１を回転させることによって、プレート１の表面１ａが、装着者の服と並行になるように構成される。
【００１６】
プレート１は、長方形の板形状であり、長方形の長手方向が装着者の左右の方向になるように形成されている。プレート１は長方形状に限らず、楕円形状や花形状、雲形状などの平坦で情報が表面に記載できるものであればよい。また、花など立体形状のもので、重量があり、装着時に下に向きやすいようなものであってもよい。この場合であっても、安全ピンなどの固定具の厚みに応じて所定の位置にスペーサを設けることで、立体形状の装着物を正面に向かせることができる。
【００１７】
固定具である安全ピン２は、スペーサ３に対して装着者の上下方向に該当する位置に配置される。安全ピン２は、プレート１の形状に応じて、装着時に表面１ａの情報が正しい方向で視認可能なように、裏面１ｂに接続されている。第１実施形態では、プレート１が長方形の板形状であり、長方形の長手方向が装着者の左右の方向になるように形成されているので、安全ピン２は、プレート１の中央部であって、中心よりやや上側で接続される。
【００１８】
図３は、本考案の第１実施形態に係る表示具のＩＶ−ＩＶ断面図である。
プレート１の表面１ａを紙面左とし、プレート１の裏面１ｂを紙面右とし、プレート１の上側を紙面上として描かれている。プレート１の表面１ａには、氏名や所属機関、その他の情報が記載される。プレート１の裏面１ｂには、安全ピン２が安全ピンベース２ｂを介して、接続されている。スペーサ３は、安全ピンベース２ｂとは離間した位置であって、プレート１の中心のやや下側に形成されている。このように形成することで、安全ピン２が接続された表示具に対して、スペーサ３のみを後から付けるようにすることも可能となる。
【００１９】
スペーサ３は、直方体形状となっている。直方体形状の厚み、つまり、プレート１の裏面１ｂに対して垂直方向への厚みは、固定具で装着者の衣服に着けた状態のときの固定具の厚みとほぼ同じ厚みとなっている。なお、スペーサ３の角部は角を取り衣服などを傷めないようにしてもよい。また、上記のような厚みを有する半球体形状としてもよい。
【００２０】
ここで、安全ピン２を中心にプレート１を回転させるとは、この安全ピンベース２ｂが安全ピン２と接続されている部位を中心として回転することを示している。したがって、安全ピン２は、安全ピンベース２ｂに対して回転可能に接続されている。これにより、安全ピン２を中心にプレート１を回転させることが可能となる。
【００２１】
次に、本考案の第２実施形態を図４，５に基づいて説明する。
図４は、本考案の第２実施形態に係る表示具の裏面斜視図である。図５は、本考案の第２実施形態に係る表示具のIV-IV断面図である。
【００２２】
第２実施形態に係る表示具１０ａは、ピンベース１２ａｂとスペーサ１３ａｂが一体となって形成されている。ここで、この一体化された部位を基体部１４と呼ぶ。図５で示すように、基体部１４の上側のピンベース１２ａｂには安全ピン１２が回転自在に接続され、基体部１４の下側のスペーサ１３ａｂにはプレート裏面１１ｂからの厚みが、基体部１４の上側の安全ピン１２がプレート裏面１１ｂに対して垂直になった状態のときの同じ厚みとなっている（図５の厚さｓ）。
【００２３】
次に、本考案の第３実施形態を図６に基づいて説明する。
図６は、本考案の第３実施形態に係る表示具の裏面斜視図である。
【００２４】
第３実施形態に係る表示具は、スペーサが複数個、形成されている。図６で示すように、表示具１０ａの裏面において、ピンベース１２ｂに接続された安全ピン１２を中心に、長手方向の左右のそれぞれに、左スペーサ１３ａと右スペーサ１３ｂが形成されている。左スペーサ１３ａと右スペーサ１３ｂの、表示具１０ａの裏面から垂直方向への厚さは、表示具１０ａの裏面から垂直方向へのピンベース１２ｂの厚さと安全ピン１２を表示具１０ａの裏面から垂直方向へ立たせたときの厚さの和とほぼ同じ厚さとなっている。左スペーサ１３ａと右スペーサ１３ｂの厚さを、このような厚さとすることで、表示具１０ａの表面の情報が視認させやすくなり、また左右方向への傾きがなくなるため、正面からの視認させやすくなる。
【００２５】
次に、本考案の第４実施形態を図７に基づいて説明する。
図７は、本考案の第４実施形態に係る表示具の裏面斜視図である。
【００２６】
本考案の第４実施形態に係る表示具は、第１〜３実施形態に係る表示具のベースと安全ピンの代わりにクリップ１５としたものである。クリップの場合、安全ピンよりも表示具の裏面から垂直方向への厚みが厚く、また、細いため、表示面が下側だけでなく左右方向に向きやすい。そこで、表示具１０ｂの裏面において、クリップ１５を中心に、長手方向の左右のそれぞれに、左スペーサ１６ａと右スペーサ１６ｂを形成した。左スペーサ１６ａと右スペーサ１６ｂと表示具１０ｂの裏面であって、それぞれ左端下側付近と右端下側付近に形成するとよい。このように形成することで、上下方向だけでなく、左右方向に対しても、より表示具の情報表示面が安定して視認させやすい方向に向く。
【００２７】
＜実施形態の構成及び効果＞
本考案の表示具は、装着者の情報が記載された表面を有するプレートと、プレートの裏面に接続され、装着者の服に対して固定・取り外し自在が可能な安全ピンと、プレートの裏面に接続され、プレートの下面を装着者側とは反対側に安全ピンを中心にプレートを回転させることによって、プレートの表面が、装着者の服と並行になるようにするスペーサとを有する。
このような構成を有することから、表示具装着時に表示具表面の情報を視認させやすいという効果がある。
【００２８】
また、好適には、プレートは、長方形の板形状であり、長方形の長手方向が装着者の左右の方向になるように形成される。
このような構成を有することから、表示具装着時に表示具表面の情報を広い範囲で視認させやすいという効果がある。
【００２９】
また、好適には、安全ピンは、スペーサに対して装着者の上下方向に該当する位置に配置されている。
このような構成を有することから、表示具装着時に表示具表面の情報をより安定して提示できるという効果がある。
【００３０】
また、好適には、固定具は、安全ピン形状であり、スペーサは、直方体形状である。
このような構成を有することから、より安全に固定具をつけることができるという効果がある。
【００３１】
また、好適には、安全ピンをプレートに対して垂直になるように位置させた場合に、安全ピンの装着者側とは反対側のピンの装着者側の面は、スペーサの装着者側の面と同一の平面を形成する。
このような構成を有することから、表示具装着時に表示具表面の情報を視認させやすいという効果がある。
【００３２】
また、好適には、固定具は、クリップ形状であり、スペーサは、半球体形状である。
このような構成を有することから、表示具装着時に表示具表面の情報をより安定して、かつ衣服を傷めずに視認させやすいという効果がある。
【符号の説明】
【００３３】
１      プレート
１ａ    プレート表面
１ｂ    プレート裏面
２      ピン
２      ピンベース
３      スペーサ
１０    表示具
１２    ピン
１２ｂ  ピンベース
１３ａ  左スペーサ
１３ｂ  右スペーサ
１４    クリップ
【図１】
0003213448.tif 000003
【図２】
0003213448.tif 000004
【図３】
0003213448.tif 000005
【図４】
0003213448.tif 000006
【図５】
0003213448.tif 000007
【図６】
0003213448.tif 000008
【図７】
0003213448.tif 000009